(57)【要約】【課題】テープ、クリップなどの別途用意した用具を用いることなく、容易に開口部を封止できるようにすること。【解決手段】略封筒状で、その上口部２より下位で、幅方向中央の表・裏に突き抜ける一対の把持用開口３・４を有する袋本体１ａと、一方の把持用開口４周縁の一部から該把持用開口４内に一体に延びる舌片５と、この舌片５の内側面に形成された粘着用薄膜６と、この粘着用薄膜６を剥離可能に被い、かつ剥離し舌片５を他方の把持用開口周縁３の外側面に折り曲げ粘着用薄膜６を介して貼り付けることにより上口部２を封止可能な剥離用薄膜７とを備えた合成樹脂製手提げ袋１。【選択図】図１
0003124506.tif 000002
【実用新案登録請求の範囲】
【請求項１】
略封筒状で、その上口部より下位で、幅方向中央の表・裏に突き抜ける一対の把持用開口を有する袋本体と、一方の把持用開口周縁の一部から該把持用開口内に一体に延びる舌片と、この舌片の内側面に形成された粘着用薄膜と、この粘着用薄膜を剥離可能に被い、かつ剥離し舌片を他方の把持用開口周縁の外側面に折り曲げ粘着用薄膜を介して貼り付けることにより上口部を封止可能な剥離用薄膜とを備えたことを特徴とする合成樹脂製手提げ袋。
【請求項２】
舌片が、一方の把持用開口周縁の上部から一体に延びる請求項１に記載の合成樹脂製手提げ袋。
【請求項３】
舌片が、一方の把持用開口周縁の下部から一体に延びる請求項１に記載の合成樹脂製手提げ袋。
【請求項４】
袋本体が、略封筒状で、その上開口部を有するネット袋体と、該上開口部の周縁に外側から胴巻きに接合され、該上開口部に重なる外開口部を有する把持用輪状帯体とからなり、一対の把持用開口が、把持用輪状帯体の外開口部より下位で、幅方向中央にネット袋体を突き抜けて形成された請求項１〜３のいずれか１つに記載の合成樹脂製手提げ袋。
【請求項５】
袋本体が、略封筒状で、上開口部を有するネット袋体と、該上開口部の上周縁に連結され、連結開口部を有する把持用輪状帯体とからなり、一対の把持用開口が、把持用輪状帯体の連結開口部より下位で、幅方向中央の表・裏に突き抜けて形成された請求項１〜３のいずれか１つに記載の合成樹脂製手提げ袋。
【請求項６】
袋本体と、舌片と、粘着用薄膜とが、共通の熱可塑性樹脂からなる請求項４または５に記載の合成樹脂製手提げ袋。
【請求項７】
共通の熱可塑性樹脂が、ポリエチレン樹脂、ポリプロピレン樹脂またはナイロン樹脂である請求項６に記載の合成樹脂製手提げ袋。
【考案の詳細な説明】
【技術分野】
【０００１】
本考案は、合成樹脂製手提げ袋に関し、さらに詳しくは、略封筒状で、その上口部（開口部）より下位で、幅方向中央の表・裏に突き抜ける一対の把持用開口を有する合成樹脂製手提げ袋に関するものである。
【背景技術】
【０００２】
この種の合成樹脂製手提げ袋は、手提げ袋内に品物を入れた後、一対の把持用開口をテープ止め、クリップ止めなどをして上口部を封止することが多い。
また、この上口部の封止のために、テープ、クリップなどの別途用意した用具を用いることなく、合成樹脂製手提げ袋の上口部を部分的に引き裂き、得られた引き裂き片（一部が上口部に繋がっている）により手提げ袋の上口部を縛って封止することが提案されている（特許文献１参照）。
【特許文献１】登録実用新案第３０２８１１２号公報
【考案の開示】
【考案が解決しようとする課題】
【０００３】
そこで、本考案の主要な目的の一つは、テープ、クリップなどの別途用意した用具を用いることなく、容易に手提げ袋の上口部を封止できるようにする点である。
【課題を解決するための手段】
【０００４】
本考案は、略封筒状で、その上口部より下位で、幅方向中央の表・裏に突き抜ける一対の把持用開口を有する袋本体と、一方の把持用開口周縁の一部から該把持用開口内に一体に延びる舌片と、この舌片の内側面に形成された粘着用薄膜と、この粘着用薄膜を剥離可能に被い、かつ剥離し舌片を他方の把持用開口周縁の外側面に折り曲げ粘着用薄膜を介して貼り付けることにより上口部を封止可能な剥離用薄膜とを備えたことを特徴とする合成樹脂製手提げ袋を提供する。
【考案の効果】
【０００５】
本考案によれば、合成樹脂製手提げ袋の把持用開口周縁の一部から舌片を把持用開口内に一体に延設し、かつこの舌片の内側面に粘着用薄膜と剥離用薄膜とを形成することによって、テープ、クリップなどの封止手段を別途用意することもなく、実質的に舌片の折り曲げだけで容易に合成樹脂製手提げ袋の上口部を封止できると共に、一対の把持用開口を形成するために従来捨てていた部分を封止用舌片として利用することによって資源の有効利用を図ることができる。
【考案を実施するための最良の形態】
【０００６】
本考案は、略封筒状で、その上口部より下位で、幅方向中央の表・裏に突き抜ける一対の把持用開口を有する袋本体と、一方の把持用開口周縁の一部から該把持用開口内に一体に延びる舌片と、この舌片の内側面に形成された粘着用薄膜と、この粘着用薄膜を剥離可能に被い、かつ剥離し舌片を他方の把持用開口周縁の外側面に折り曲げ粘着用薄膜を介して貼り付けることにより上口部を封止可能な剥離用薄膜とを備えたことを特徴とする。
【０００７】
ここで、袋本体は、略封筒状で、その上口部より下位で、幅方向中央の表・裏に突き抜ける一対の把持用開口を有する。この把持用開口の大きさは、把持に適合するように、通常、高さ×幅を１０〜３０ｍｍ×４０〜７０ｍｍに設定され、把持用開口の上端縁を袋本体の上口部から２０〜４０ｍｍ下位に設定される。  
【０００８】
本発明において、舌片は、一方の把持用開口周縁の上部から一体に延びるように形成し、この舌片の内側面に粘着用薄膜と剥離用薄膜とを形成すると、この剥離用薄膜を所望により剥離し舌片を他方の把持用開口周縁の外側面に折り曲げ粘着用薄膜を介して貼り付けることにより、手提げ袋の上口部（開口部）を封止（実質的な封止、または一部封止を含む）できると共に、把持部分を補強できるので好ましい。
【０００９】
また、舌片は、一方の把持用開口周縁の下部から一体に延びるように形成し、舌片の内側面に粘着用薄膜と剥離用薄膜を形成すると、この剥離用薄膜を所望により剥離し舌片を他方の把持用開口周縁の外側面に折り曲げ粘着用薄膜を介して貼り付けることにより、手提げ袋の上口部（開口部）を封止（実質的な封止、または一部封止を含む）できるので好ましい。
【００１０】
ここで、粘着用薄膜は、舌片の内側面に、エポキシ樹脂系粘着材、ポリオレフィン樹脂系のホットメルト粘着材などの粘着材（剤）を塗布して形成できる。
剥離用薄膜としては、粘着材に対して剥離可能なポリエチレン樹脂、ポリエチレンテレフタレート樹脂などからなるシートまたはフィルムを用いることができる。
【００１１】
なお、袋本体としては、通常の合成樹脂製シートまたはフィルムを使用できるが、さらにそれらの合成樹脂製シートまたはフィルムに適宜通孔を形成して通気性を付与してもよい。具体的には、密封を避けるために必要最小限の数、例えば２，３の小孔、または積極的に通気させるために多数の小孔を分散して形成してもよい。
本考案において、袋本体と、舌片と、粘着用薄膜とを、共通の熱可塑性樹脂で構成すると、リサイクル性が向上するので好ましい。具体的には、共通の樹脂として、ポリエチレン樹脂、ポリプロピレン樹脂またはナイロン樹脂を挙げることができる。
【００１２】
さて、本考案において、手提げ袋は、（１）袋本体が、略封筒状で、その上開口部を有するネット袋体と、該上開口部の周縁に外側から胴巻きに接合され、該上開口部に重なる外開口部を有する把持用輪状帯体とからなり、一対の把持用開口が、把持用輪状帯体の外開口部より下位で、幅方向中央にネット袋体を突き抜けて形成されるか、（２）袋本体が、略封筒状で、上開口部を有するネット袋体と、該上開口部の上周縁に連結され、連結開口部を有する把持用輪状帯体とからなり、一対の把持用開口が、把持用輪状帯体の連結開口部より下位で、幅方向中央の表・裏に突き抜けて形成されると、手提げ袋の袋本体（袋部分）としてネット袋体（ネット状袋）を採用でき、袋に入れて展示または保存する際に通気性を必要とする品物の手提げ袋として用途が広がる。
【００１３】
ここで、ネット袋体としては、熱可塑性樹脂の一体押出成形によって得られたシート状ネットまたは筒状ネットを適宜裁断・溶着し袋状にして利用できる。また、把持用輪状帯体としては、通常の合成樹脂製シートまたはフィルムを使用できる。
［実施の形態１］
【００１４】
図１は本考案に係る合成樹脂製手提げ袋の実施の形態１を示す概略構成説明斜視図、図２はその縦断面図である。図３は図２の要部拡大図であり、（Ａ）が使用前の状態を、（Ｂ）が使用後の状態をそれぞれ示す。
図１および２において、合成樹脂製手提げ袋１は、略封筒状で、その上口部２より下位で、幅方向中央の表・裏に突き抜ける一対の把持用開口３・４を有する袋本体１ａを備えている。
【００１５】
さらに、合成樹脂製手提げ袋１は、一方の把持用開口４周縁の上部から把持用開口４内に一体に延びる舌片５と、この舌片５の内側面に形成された粘着用薄膜６と、この粘着用薄膜６を剥離可能に被う剥離用薄膜７とを備えている。
ここで、手提げ袋１は外形が高さ：２８０ｍｍ×幅：１６０ｍｍ、舌片５は把持用開口４の大きさ（２０ｍｍ×５５ｍｍ）と略同じである。そして把持用開口４の上端縁は、袋本体１ａの上口部２から約２５ｍｍ下位である。
【００１６】
袋本体１ａと、舌片５と、粘着用薄膜６が共通のポリエチレン樹脂であり、各厚みが順に約０．５ｍｍ、約０．０４ｍｍ、約０．０４ｍｍである。  剥離用薄膜７は厚み：約０．０３ｍｍのポリエチレン樹脂製フイルムである。
なお、図１において、８・９は袋本体１ａの両側辺の折り曲げ部（折り曲げ幅：約４０ｍｍ）、１０は底辺の熱溶着封止部（熱溶着幅：約５ｍｍ）である。
【００１７】
次に、以上の構成からなる手提げ袋１の使用方法を説明する。
図１〜３、特に図３の（Ａ）（Ｂ）において、まず、手提げ袋１の上口部２から品物（例えば、たまねぎ）を入れた後、剥離用薄膜７を剥離する。そして舌片５を他方の把持用開口３周縁の上外側面に折り曲げ、粘着用薄膜６を介して貼り付けることにより、手提げ袋１の上口部２を実質的に封止する。
【００１８】
［実施の形態２］
図４は本考案に係る合成樹脂製手提げ袋の実施の形態２を示す図３相当図であり、（Ａ）が使用前の状態を、（Ｂ）が使用後の状態をそれぞれ示す。
図４において、合成樹脂製手提げ袋１１は、略封筒状で、その上口部１２より下位で、幅方向中央の表・裏に突き抜ける一対の把持用開口１３・１４を有する袋本体１１ａを備えている。
【００１９】
合成樹脂製手提げ袋１１は、さらに、一方の把持用開口１４周縁の下部から把持用開口１４内に一体に延びる舌片１５と、この舌片１５の内側面に形成された粘着用薄膜１６と、この粘着用薄膜１６を剥離可能に被う剥離用薄膜１７とを備えている。
【００２０】
ここで、手提げ袋１１は外形が高さ×幅：２８０ｍｍ×１６０ｍｍ、舌片１５は略把持用開口１４の大きさ（２０ｍｍ×５５ｍｍ）と略同じである。そして、袋本体１１ａと、舌片１５と、粘着用薄膜１６とが共通のポリエチレン樹脂であり、各厚みが順に約０．５ｍｍ、約０．０４ｍｍ、約０．０４ｍｍである。  剥離用薄膜１７は厚み：約０．０４ｍｍのポリエチレン樹脂製フイルムである。なお、他の構成は実施の形態１と同様であり、説明を省略する。
【００２１】
次に、以上の構成からなる手提げ袋１１の使用方法を説明する。
まず、手提げ袋１１の上口部１２から品物（例えば、たまねぎ）を入れた後、剥離用薄膜１７を剥離し、次いで舌片１５を他方の把持用開口１３周縁の下外側面に折り曲げ、粘着用薄膜１６を介して貼り付けることにより、手提げ袋１１の上口部１２を実質的に封止する。
【００２２】
［実施の形態３］
図５は本考案に係る合成樹脂製手提げ袋の実施の形態３を示す概略構成説明斜視図、図６はその縦断面図である。図７は図６の要部拡大図であり、（Ａ）が使用前の状態を、（Ｂ）が使用後の状態をそれぞれ示す。
【００２３】
図５および６において、合成樹脂製手提げ袋２１は、略封筒状で、その上開口部２２ａを有するネット袋体２１ａと、上開口部２２ａの周縁に外側から胴巻きに接合され、上開口部２２ａに重なる外開口部２２ｂを有する把持用輪状帯体２１ｂとからなる袋本体を備えている。  そしてこの袋本体は、把持用輪状帯体２１ｂの外開口部２２ｂより下位で、幅方向中央にネット袋体２１ａを突き抜けて一対の把持用開口２３・２４を形成している。
【００２４】
ここで、ネット袋体２１ａは、ポリエチレン樹脂の一体押出成形で得られた筒状ネット体をカットし、両側辺部を折り曲げた状態で底辺部を熱溶着して封止して封筒状に形成されている。なお、図５において、２８・２９はネット袋本体２３の両側辺の折り曲げ部、３０・３１は把持用輪状体２１ｂの上・下辺の熱溶着封止部、３２は底辺の熱溶着封止部である。ネット袋体２１ａのネット構造（網目構造）は、具体的には、菱形網目で、各ストランドの太さが平均約０．３ｍｍ、各ストランドの中心間距離が約５ｍｍである。
【００２５】
さらに袋本体は、一方の把持用開口２４周縁の上部から把持用開口２４内に一体に延びる舌片２５と、この舌片２５の内側面に形成された粘着用薄膜２６と、この粘着用薄膜２６を剥離可能に被う剥離用薄膜２７とを備えている。
ここで、手提げ袋２１は外形が高さ：２８０ｍｍ×幅：１６０ｍｍ、舌片２５は把持用開口２４の大きさ（２０ｍｍ×５５ｍｍ）と略同じである。そして把持用開口２４の上端縁は、袋本体２１ａの上口部２２から約２５ｍｍ下位である。
把持用輪状体２１ｂと、舌片２５と、粘着用薄膜２６とは、ネット袋体２１ａと共通のポリエチレン樹脂であり、各厚みが順に約０．５ｍｍ、約０．０４ｍｍ、約０．０４ｍｍである。  剥離用薄膜７は、厚み：約０．０４ｍｍのポリエチレン樹脂製フイルムである。
【００２６】
次に、以上の構成からなる合成樹脂製手提げ袋２１の使用方法を説明する。
図５〜７、特に図７において、まず、手提げ袋２１の開口部から品物（例えば、たまねぎ）を入れた後、剥離用薄膜２７を剥離する。そして舌片２５を他方の把持用開口２３周縁の上外側面に折り曲げ、粘着用薄膜２６を介して貼り付けることにより、手提げ袋２１の開口部を実質的に封止する。
【図面の簡単な説明】
【００２７】
【図１】本考案に係る合成樹脂製手提げ袋の実施の形態１を示す概略構成説明斜視図である。
【図２】図１の縦断面図である。
【図３】図２の要部拡大図であり、（Ａ）が使用前の状態を、（Ｂ）が使用後の状態をそれぞれ示す。
【図４】本考案に係る合成樹脂製手提げ袋の実施の形態２を示す図３相当図であり、（Ａ）が使用前の状態を、（Ｂ）が使用後の状態をそれぞれ示す。
【図５】本考案に係る合成樹脂製手提げ袋の実施の形態３を示す概略構成説明斜視図である。
【図６】図５の縦断面図である。
【図７】図６の要部拡大図であり、（Ａ）が使用前の状態を、（Ｂ）が使用後の状態をそれぞれ示す。
【符号の説明】
【００２８】
１          手提げ袋
２          開口部
３          把持用開口
４          把持用開口
５          舌片
６          粘着用薄膜
７          剥離用薄膜
【図１】
0003124506.tif 000003
【図２】
0003124506.tif 000004
【図３】
0003124506.tif 000005
【図４】
0003124506.tif 000006
【図５】
0003124506.tif 000007
【図６】
0003124506.tif 000008
【図７】
0003124506.tif 000009